(57)【要約】【課題】  動作モードに応じて、操作手段に対する操作入力に対し異なる機能を割り当てるようになされた電子機器の操作性を向上する。【解決手段】  複数種類の操作入力が可能な操作手段１０と、複数の動作モードのうちの一つを選択する動作モード選択手段２０と、動作モード選択手段が第１の動作モードを選択している時操作入力に対し第１の機能を割り当て、動作モード選択手段が第２の動作モードを選択している時操作入力に対して第２の機能を割り当てる機能割当手段２０とを設け、動作モード選択手段２０は、動作モードを選択していない状態で操作手段に対して操作入力が行われた時第１の動作モードを選択するとともに、第２の動作モードにおいて第２の機能が割り当てられていない操作入力が行われた時、第２の動作モードを維持するようにしたことにより、第２の動作モードから第１の動作モードへのユーザが意図しない動作モード変更を防止することができる。【選択図】        図４
2006024250.tif 000002
【特許請求の範囲】
【請求項１】
複数種類の操作入力が可能な操作手段と、
複数の動作モードのうちの一つを選択する動作モード選択手段と、
上記動作モード選択手段が第１の動作モードを選択している時、上記複数種類の操作入力に対して第１の機能をそれぞれ割り当て、上記動作モード選択手段が第２の動作モードを選択している時、上記複数種類の操作入力に対して第２の機能をそれぞれ割り当てる機能割当手段と
を具え、
上記動作モード選択手段は、上記動作モードを選択していない状態で上記操作手段に対して操作入力が行われた時第１の動作モードを選択するとともに、上記第２の動作モードにおいて上記第２の機能が割り当てられていない操作入力が行われた時、上記第２の動作モードを維持する
ことを特徴とする電子機器。
【請求項２】
上記操作手段は、単一の操作子を異なる方向に押圧操作することにより上記複数種類の操作入力を行う
ことを特徴とする請求項１に記載の電子機器。
【請求項３】
操作手段に対する複数種類の操作入力に対し、動作モードに応じた機能を割り当てて実行する電子機器の制御方法において、
複数の動作モードのうちの一つを選択する動作モード選択ステップと、
上記動作モード選択手段が第１の動作モードを選択している時、上記複数種類の操作入力に対して第１の機能をそれぞれ割り当て、上記動作モード選択手段が第２の動作モードを選択している時、上記複数種類の操作入力に対して第２の機能をそれぞれ割り当てる機能割当ステップと
を具え、
上記動作モード選択ステップは、上記動作モードを選択していない状態で上記操作手段に対して操作入力が行われた時第１の動作モードを選択するとともに、上記第２の動作モードにおいて上記第２の機能が割り当てられていない操作入力が行われた時、上記第２の動作モードを維持する
ことを特徴とする電子機器の制御方法。
【発明の詳細な説明】
【技術分野】
【０００１】
本発明は電子機器に関し、単一の操作子を用いて複数種類の操作をそれぞれ別個に入力し得るようになされた電子機器に適用して好適なものである。
【背景技術】
【０００２】
近年、オーディオ装置等の電子機器においては多機能化が進んでおり、これに伴って、当該電子機器を操作するためのボタンやダイヤル等の操作子が増加している。一方、電子機器においては小型化も進んでおり、このため、機器の筐体に多数の操作子を配置することが困難であるという問題がある。
【０００３】
かかる問題を解決するため、一つの操作子に対して複数の機能を割り当てておき、動作モードに応じて対応する機能を実行するようにして操作子を集約化した電子機器が提案されている（例えば、特許文献１参照）。
【０００４】
また、時計機能付きのＣＤ（Compact Disc)プレーヤにおいて、上下左右及び中央への押圧操作が可能な多方向操作子（以下、これをジョイスティックと呼ぶ）に対し、ＣＤ演奏機能及び時計設定機能の２つの異なる操作系統を割り当てたものがある。
【０００５】
かかるＣＤプレーヤにおいては、ジョイスティックに対するＣＤ演奏機能の割り当てとしては、上方向操作に対してプレイ（再生開始）、下方向操作に対してストップ（再生停止）、右方向操作に対してトラック送り及び早送り再生、左方向操作に対しトラック戻し及び早戻し再生といった機能が割り当てられている。
【０００６】
一方、ジョイスティックに対する時計設定機能の割り当てとしては、右方向操作に対して現在時刻やアラーム設定時刻の増加、左方向操作に対して現在時刻やアラーム時刻の減少、中央方向操作に対してエンター（決定）といった機能が割り当てられている。
【０００７】
そしてＣＤプレーヤにおいては、別途設けられているモードスイッチで選択されている動作モード（ＣＤ演奏モード及び時計設定モード）に応じて、上述したＣＤ演奏機能又は時計設定機能をジョイスティックに割り当てて操作入力を受け付けるようになされている。
【特許文献１】特開平８−５８４９３号公報
【発明の開示】
【発明が解決しようとする課題】
【０００８】
従来、電子機器においては、まず電源スイッチを操作して電子機器の電源を投入し、さらに動作モードを選択した後に各種操作を行うようになされていた。
【０００９】
これに対して近年、電子機器の電源が投入されていない状態においても、特定の操作子が操作されると、これに応じて自動的に電源投入及びモード選択を行った後、対応する機能を実行するようになされた電子機器が実用化されている（これをダイレクトファンクション機能と呼ぶ）。
【００１０】
電子機器で多用される操作に対してダイレクトファンクション機能を適用することにより、ユーザが行う操作回数を削減して電子機器の操作性を向上することができる。
【００１１】
ところが、上述した時計機能付きＣＤプレーヤのような、一つの操作子（ジョイスティック）に対して異なる操作系統を割り当てた電子機器に対してダイレクトファンクション機能を適用した場合、操作子に対する操作に応じて、ダイレクトファンクション機能がユーザの意志に沿わない動作モード変更を行ってしまうことが考えられる。
【００１２】
例えば、上述した時計機能付きＣＤプレーヤにおいて、ユーザが多用するＣＤ演奏機能（ジョイスティックの上方向操作に対するプレイ、下方向操作に対するストップ、右方向操作に対するトラック送り及び早送り再生、左方向操作に対するトラック戻し及び早戻し再生）に対してダイレクトファンクション機能を適用したとする。
【００１３】
そして、時計設定モードにおいてジョイスティックを左右方向に操作して現在時刻やアラーム時刻の設定を行っている際、この時計設定モードでは機能が割り当てられていない上下方向にジョイスティックを操作してしまうと、当該上下方向操作に対するダイレクトファンクション機能によって動作モードがＣＤ演奏モードに強制的に変更されてしまい、これによりＣＤプレーヤの操作性が低下してしまうという問題があった。
【００１４】
本発明は以上の点を考慮してなされたもので、従来に比してより操作性を向上した電子機器を提案しようとするものである。
【課題を解決するための手段】
【００１５】
かかる課題を解決するため本発明の電子機器においては、複数種類の操作入力が可能な操作手段と、複数の動作モードのうちの一つを選択する動作モード選択手段と、動作モード選択手段が第１の動作モードを選択している時、複数種類の操作入力に対して第１の機能をそれぞれ割り当て、動作モード選択手段が第２の動作モードを選択している時、上記複数種類の操作入力に対して第２の機能をそれぞれ割り当てる機能割当手段とを設け、動作モード選択手段は、動作モードを選択していない状態で操作手段に対して操作入力が行われた時第１の動作モードを選択するとともに、第２の動作モードにおいて第２の機能が割り当てられていない操作入力が行われた時、第２の動作モードを維持するようにした。
【００１６】
これにより、第２の動作モードから第１の動作モードへのユーザが意図しない動作モード変更を防止することができる。
【発明の効果】
【００１７】
本発明によれば、動作モードを選択していない状態で操作手段に対して操作入力が行われた時、第１の動作モードを選択するとともに、第２の動作モードにおいて第２の機能が割り当てられていない操作入力が行われた時は、第２の動作モードを維持するようにしたことにより、第２の動作モードから第１の動作モードへのユーザが意図しない動作モード変更を防止し、かくして、従来に比してより操作性を向上した電子機器を実現することができる。
【発明を実施するための最良の形態】
【００１８】
以下図面について、本発明の一実施の形態を詳述する。
【００１９】
（１）ポータブルＣＤ（Compact Disk）プレーヤの全体構成
図１において、１０は本発明を適用した電子機器としてのポータブルＣＤプレーヤを示し、筐体２の中央前面に、コンパクトディスクを収納して音楽データの読み出しを行うＣＤドライブ部３が設けられているとともに、当該ＣＤドライブ部３の左右にはスピーカ４Ｌ及び４Ｒが設けられている。またＣＤドライブ部３の上方には、再生中のコンパクトディスクのトラック番号や再生経過時間、内蔵するラジオ部で受信中のラジオ放送の周波数、さらには現在時刻やアラームの設定時刻等を表示するための表示部５が設けられている。
【００２０】
これに加えて表示部５の左側には、ラジオ部の受信周波数やバンドを設定するためのする４方向スイッチ６が設けられているとともに、当該４方向スイッチ６の上方には電源ボタン７が設けられている。
【００２１】
また、表示部５の右側には、ポータブルＣＤプレーヤ１の動作モードをＣＤ演奏モード及びラジオモードの間で変更するためのモードボタン８と、ポータブルＣＤプレーヤ１の動作モードを時計設定モードに変更するためのクロックボタン９と、ＣＤ演奏操作及び時計設定操作を行うための操作手段としてのジョイスティック１０が設けられている。
【００２２】
（２）ポータブルＣＤプレーヤの回路構成
次に、ポータブルＣＤプレーヤ１の回路構成を説明する。図２に示すようにポータブルＣＤプレーヤ１においては、当該ポータブルＣＤプレーヤ１全体を統括的に制御する制御部２０に対し、バス２１を介してラジオ部２２、ＣＤドライブ部３、アンプ２３、表示部５、操作部２４、及びクロック部２５が接続されて構成される。なお、操作部２４は、図１に示す４方向スイッチ６、電源ボタン７、モードボタン８、クロックボタン９、ジョイスティック１０等で構成される。
【００２３】
制御部２０は操作部２４を介して入力される操作に応じてポータブルＣＤプレーヤ１の各部を制御する。例えば、モードボタン８の押下によってラジオモードが指定されると、動作モード選択手段としての制御部２０はラジオモードを選択してラジオ部２２を起動する。ラジオ部２２は、制御部２０の制御に応じた周波数の放送波をアンテナ２６を介して受信し、当該放送波を復調して得た受信音声信号をアンプ２３で増幅してスピーカ４Ｌ及び４Ｒから再生する。
【００２４】
また動作モード選択手段としての制御部２０は、モードボタン８の押下によってＣＤ演奏モードが指定されると、第１の動作モードとしてのＣＤ演奏モードを選択してＣＤ部３を起動する。ＣＤ部３は、制御部２０の制御に応じてＣＤを再生し、再生音声信号をアンプ２３で増幅してスピーカ４Ｌ及び４Ｒから再生する。
【００２５】
さらに動作モード選択手段としての制御部２０は、クロックボタン９の長押しによって時計設定モードが指定されると、第２の動作モードとしてのクロックモードを選択してクロック部２５を呼び出し、ユーザ操作に応じて現在時刻やアラーム時刻の設定変更を行う。
【００２６】
（３）ポータブルＣＤプレーヤにおけるダイレクトファンクション機能
このポータブルＣＤプレーヤ１においては、４方向スイッチ６及びジョイスティック１０に対してダイレクトファンクション機能が適用されている。すなわち、電源オフ状態において４方向スイッチ６が操作されると、制御部２０は当該ポータブルＣＤプレーヤ１をラジオモードで起動し、４方向スイッチ６に対する操作に応じてラジオ部２２を制御してラジオ受信を開始する。
【００２７】
また、電源オフ状態においてジョイスティック１０が操作されると、制御部２０は当該ポータブルＣＤプレーヤ１を第１の動作モードとしてのＣＤ演奏モードで起動し、ジョイスティック１０に対する押下操作に応じてＣＤドライブ部３を制御してＣＤを再生する。
【００２８】
ＣＤ演奏モードにおいては図３（Ａ）に示すように、機能割当手段としての制御部２０によって、ジョイスティック１０の操作子に対する上方向操作に対してプレイ、下方向操作に対してストップ、右方向操作に対してトラック送り及び早送り再生、左方向操作に対してトラック戻し及び早戻し再生が割り当てられる。なお、中央方向操作には機能が割り当てられない。
【００２９】
さらに、このジョイスティック１０には第２の動作モードとしての時計設定モードにおいても、機能割当手段としての制御部２０によって機能が割り当てられる。すなわちジョイスティック１０に対する時計設定機能の割り当てとしては、図３（Ｂ）に示すように、右方向操作に対して現在時刻やアラーム設定時刻の増加、左方向操作に対して現在時刻やアラーム時刻の減少、中央方向操作に対してエンターが割り当てられる。なお、上方向操作及び下方向操作には機能が割り当てられない。
【００３０】
なお、時計設定モードは「時」単位の設定を行うための「時」設定モードと「分」単位の設定を行うための「分」設定モードとに分かれており、時計設定モードに移行直後の時点においては「時」単位の設定を行うための「時」設定モードにあり、当該「時」設定モードでジョイスティック１０に対する中央方向操作が行われると、「分」単位の設定を行うための「分」設定モードに移る。そして、当該「分」設定モードで中央方向操作が行われると時計設定モードを終了する。
【００３１】
ここで、従来のポータブルＣＤプレーヤでは、時計設定モードにおいて機能が割り当てられていない上方向又は下方向にジョイスティックを誤操作すると、当該上方向操作又は下方向操作に対するダイレクトファンクション機能が動作してしまい、これによりポータブルＣＤプレーヤの動作モードがユーザの意図に反してＣＤ演奏モードに強制変更される。このためユーザは、時計設定モードで行っていた現在時刻やアラーム時刻の設定作業を中断させられてしまう。
【００３２】
このため本発明のポータブルＣＤプレーヤ１では、第２の動作モードとしての時計設定モードにおいては、機能が割り当てられていないジョイスティック１０の上方向及び下方向操作に対するダイレクトファンクション機能を無効化することにより、誤操作による意図しないモード変更を防止するようになされている。
【００３３】
（４）ジョイスティックの操作入力制御処理
次に、上述したジョイスティック１０に対する操作入力についての処理手順を、図５に示すフローチャートを用いて詳細に説明する。
【００３４】
ポータブルＣＤプレーヤ１の制御部２０は、操作入力制御処理手順ＲＴ１の開始ステップから入ってステップＳＰ１に移り、クロックボタン９に対する長押し操作が行われたかを判定する。ステップＳＰ１においてクロックボタン９に対する長押し操作を検出した場合、このことはユーザがポータブルＣＤプレーヤ１の動作モードを時計設定モードに変更しようとする意志があることを表しており、このとき制御部２０はステップＳＰ２に移る。
【００３５】
ステップＳＰ２において制御部２０は、まずポータブルＣＤプレーヤ１の動作モードを時計設定モードに変更した後ステップＳＰ３に移り、「時」単位の設定を行うための「時」モードに設定してステップＳＰ４に移る。
【００３６】
ステップＳＰ４からステップＳＰ８までは、機能割当手段としての制御部２０は第２の動作モードとしての時計設定モードにおけるジョイスティック１０に対する操作入力の判定及び機能割当を行う。
【００３７】
ステップＳＰ４において制御部２０は、ジョイスティック１０に対する上方向操作が入力されたかを判定する。ステップＳＰ４において上方向操作が入力されたと判定した場合、時計設定モードにおいては上方向操作に機能が割り当てられておらず、また上方向操作に対するダイレクトファンクション機能が無効化されていることから、制御部２０は当該上方向操作に応じた動作を行うことなくステップＳＰ４に戻る。これに対して、ステップＳＰ４において上方向操作が入力されていないと判定した場合、制御部２０はステップＳＰ５に移る。
【００３８】
ステップＳＰ５において制御部２０は、ジョイスティック１０に対する下方向操作が入力されたかを判定する。ステップＳＰ５において下方向操作が入力されたと判定した場合、時計設定モードにおいては下方向操作にも機能が割り当てられておらず、また下方向操作に対するダイレクトファンクション機能も無効化されていることから、制御部２０は当該下方向操作に応じた動作を行うことなくステップＳＰ４に戻る。これに対して、ステップＳＰ５において下方向操作が入力されていないと判定した場合、制御部２０はステップＳＰ６に移る。
【００３９】
ステップＳＰ６において制御部２０は、ジョイスティック１０に対する左方向操作が入力されたかを判定する。ステップＳＰ６において左方向操作が入力されたと判定した場合、制御部２０はステップＳＰ１１に移り、モードに応じた設定対象の「時」又は「分」の設定値を減少させた後、ステップＳＰ４に戻る。これに対して、ステップＳＰ６において左方向操作が入力されていないと判定した場合、制御部２０はステップＳＰ７に移る。
【００４０】
ステップＳＰ７において制御部２０は、ジョイスティック１０に対する右方向操作が入力されたかを判定する。ステップＳＰ７において右方向操作が入力されたと判定した場合、制御部２０はステップＳＰ１２に移り、モードに応じた設定対象の「時」又は「分」の設定値を増加させた後、ステップＳＰ４に戻る。これに対して、ステップＳＰ７において右方向操作が入力されていないと判定した場合、制御部２０はステップＳＰ８に移る。
【００４１】
ステップＳＰ８において制御部２０は、ジョイスティック１０に対する中央方向操作が入力されたかを判定する。ステップＳＰ７において中央方向操作が入力されていないと判定した場合、制御部２０はステップＳＰ４に戻る。これに対して、ステップＳＰ８において中央方向操作が入力されたと判定した場合、制御部２０はステップＳＰ９に移る。
【００４２】
ステップＳＰ９において制御部２０は、現在の動作モードが「分」設定モードであるか否かを判定する。ステップＳＰ９において否定結果が得られた場合、このことは現在の動作モードが「時」設定モードであり、入力された中央方向操作は動作モードを「分」設定モードに移行させるための操作であることを表しており、このとき制御部２０はステップＳＰ１０に移り、動作モードを「分」設定モードに移行してステップＳＰ４に戻る。これに対して、ステップＳＰ９において肯定結果が得られた場合、このことは現在の動作モードが「分」設定モードであり、入力された中央方向操作は時計設定モードを終了させるための操作であることを表しており、このとき制御部２０はステップＳＰ１３に移り、時計設定モードを終了してステップＳＰ１に戻る。
【００４３】
一方、ステップＳＰ１においてクロックボタン９に対する長押し操作を検出しなかった
場合、このことはポータブルＣＤプレーヤ１の動作モードを時計設定モードに変更しようとする意志がないことを表しており、このとき制御部２０はステップＳＰ１４に移る。
【００４４】
ステップＳＰ１４において制御部２０は、ジョイスティック１０に対する上方向操作が入力されたかを判定する。ステップＳＰ１４において上方向操作が入力されたと判定した場合、制御部２０はステップＳＰ１８に移ってＣＤ再生を開始してステップＳＰ１に戻る。これに対して、ステップＳＰ１４において上方向操作が入力されていないと判定した場合、制御部２０はステップＳＰ１５に移る。
【００４５】
ステップＳＰ１５において制御部２０は、ジョイスティック１０に対する下方向操作が入力されたかを判定する。ステップＳＰ１５において下方向操作が入力されたと判定した場合、制御部２０はステップＳＰ１９に移ってＣＤ再生を停止してステップＳＰ１に戻る。これに対して、ステップＳＰ１５において下方向操作が入力されていないと判定した場合、制御部２０はステップＳＰ１６に移る。
【００４６】
ステップＳＰ１６において制御部２０は、ジョイスティック１０に対する左方向操作が入力されたかを判定する。ステップＳＰ１６において左方向操作が入力されたと判定した場合、制御部２０はステップＳＰ２０に移り、再生するトラックを一つ戻した後、ステップＳＰ１に戻る。これに対して、ステップＳＰ１６において左方向操作が入力されていないと判定した場合、制御部２０はステップＳＰ１７に移る。
【００４７】
ステップＳＰ１７において制御部２０は、ジョイスティック１０に対する右方向操作が入力されたかを判定する。ステップＳＰ１７において右方向操作が入力されたと判定した場合、制御部２０はステップＳＰ２１に移り、再生するトラックを一つ進めた後、ステップＳＰ１に戻る。これに対して、ステップＳＰ１７において左方向操作が入力されていないと判定した場合、制御部２０はステップＳＰ１に戻る。
【００４８】
（５）動作及び効果
以上の構成において、このポータブルＣＤプレーヤ１では、上下左右並びに中央方向操作が可能なジョイスティック１０に対し、ＣＤ演奏機能及び時計設定機能の２つの異なる操作系統を割り当てた。そして、ＣＤ演奏機能についてはダイレクトファンクション機能を適用した。
【００４９】
これにより、ポータブルＣＤプレーヤ１が電源オフ状態にあっても、ジョイスティック１０を操作するだけで、当該ポータブルＣＤプレーヤ１を直接ＣＤ演奏モードで起動することができる。
【００５０】
さらにポータブルＣＤプレーヤ１では、クロックボタン９を長押し操作して移行される時計設定モードにおいて、このモードでは機能が割り当てられていないジョイスティック１０の上方向及び下方向操作に対するダイレクトファンクション機能を無効化するようにした。
【００５１】
これにより、時計設定モードにおいてユーザがジョイスティック１０を上下方向に誤操作したとしても、ポータブルＣＤプレーヤ１は時計設定モードを維持し、これによりポータブルＣＤプレーヤ１が意図せずにＣＤ演奏モードに移行してしまうことを防止することができる。
【００５２】
（６）他の実施の形態
なお上述の実施の形態においては、ポータブルＣＤプレーヤ１においてＣＤ演奏操作及び時計設定操作を行うためのジョイスティック１０に本発明を適用した場合について述べたが、本発明はこれに限らず、他の種々の操作系統に対して本発明を適用することができる。
【００５３】
また上述の実施の形態においては、電子機器としてのポータブルＣＤプレーヤ１に対して本発明を適用した場合について述べたが、本発明はこれに限らず、ビデオテープレコーダや携帯電話機等、他の種々の電子機器に本発明を適用することができる
【産業上の利用可能性】
【００５４】
本発明は、単一のキートップに対する押下操作の位置に応じて複数のスイッチのうちの一部を選択的に押圧し得る多方向スイッチに適用することができる。
【図面の簡単な説明】
【００５５】
【図１】ポータブルＣＤプレーヤの全体構成を示す略線図である。
【図２】ポータブルＣＤプレーヤの回路構成を示すブロック図である。
【図３】ジョイスティックに対する機能割り当ての説明に供する略線図である。
【図４】ジョイスティックについての操作入力制御処理手順を示すフローチャートである。
【符号の説明】
【００５６】
１……ポータブルＣＤプレーヤ、３……ＣＤドライブ部、８……モードボタン、９……クロックボタン、１０……ジョイスティック、２０……制御部、２２……ラジオ部、２３……アンプ、２４……操作部、２５……クロック部。
【図１】
2006024250.tif 000003
【図２】
2006024250.tif 000004
【図３】
2006024250.tif 000005
【図４】
2006024250.tif 000006